【手続補正書】
【提出日】平成19年4月2日(2007.4.2)
【手続補正１】
【補正対象書類名】特許請求の範囲
【補正対象項目名】全文
【補正方法】変更
【補正の内容】
【特許請求の範囲】
【請求項１】
プロジェクトの識別情報と、当該プロジェクトの識別情報によって識別されるプロジェクトのオーナーユーザの承認により前記プロジェクトに参加するメンバーユーザの識別情報と、前記オーナーユーザによって前記メンバーユーザに付与され、前記メンバーユーザが依頼元のユーザとなって依頼先のユーザを前記プロジェクトに参加させる際の追加権限に関するメンバー追加権限情報とを対応付けて記憶するプロジェクトメンバー情報記憶手段と、
前記プロジェクトメンバー情報記憶手段に記憶されたメンバー追加権限情報に基づいて、前記依頼元のユーザによる新たなメンバーユーザの追加を制限するメンバー追加制限手段と、
を備えることを特徴とするプロジェクト管理サーバ。
【請求項２】
前記プロジェクトへの参加依頼に関する参加依頼情報を記憶する参加依頼情報記憶手段を備え、
前記メンバー追加権限情報は、前記依頼元のユーザが新たなメンバーユーザを追加できるか否かの追加可否情報を有し、
前記メンバー追加制限手段は、
前記追加可否情報を前記プロジェクトメンバー情報記憶手段から取得する追加可否情報取得手段と、
前記追加可否情報取得手段により取得した追加可否情報に基づいて、前記依頼元のユーザが新たなメンバーユーザを追加できる権限を有すると判断した場合に、前記参加依頼情報を前記参加依頼情報記憶手段に登録する登録手段と、
プロジェクトへの参加依頼の問い合わせを行った問い合わせユーザが、前記依頼先のユーザであるか否かを前記参加依頼情報記憶手段を検索して判断する依頼先判断手段と、
前記依頼先判断手段が、前記問い合わせユーザを前記依頼先のユーザであると判断した場合に、前記問い合わせユーザに参加依頼がある旨の通知を行う通知手段と、
前記通知手段により参加依頼がある旨の通知を受けた前記問い合わせユーザが送信した前記プロジェクトへの参加の有無に関する参加有無情報を前記参加依頼情報記憶手段に登録する参加有無情報登録手段と、
を備えることを特徴とする請求項１に記載のプロジェクト管理サーバ。
【請求項３】
前記プロジェクトへの参加依頼に関する参加依頼情報を記憶する参加依頼情報記憶手段を備え、
前記メンバー追加権限情報は、前記依頼元のユーザが新たなメンバーユーザを追加する際に前記オーナーユーザの承認が必要か否かの承認要否情報を有し、
前記メンバー追加制限手段は、
前記承認要否情報を前記プロジェクトメンバー情報記憶手段から取得する承認要否情報取得手段と、
前記承認要否情報取得手段により取得した承認要否情報に基づいて、前記依頼元のユーザが新たなメンバーユーザを追加する際に前記オーナーユーザの承認が必要であると判断した場合に、前記参加依頼情報を前記参加依頼情報記憶手段に仮登録する仮登録手段と、
前記オーナーユーザによる前記参加依頼情報の登録の承認に基づいて、前記仮登録手段により仮登録された前記参加依頼情報を前記参加依頼情報記憶手段に本登録する本登録手段と、
プロジェクトへの参加依頼の問い合わせを行った問い合わせユーザが、前記依頼先のユーザであるか否かを、前記参加依頼情報記憶手段内に本登録された参加依頼情報を検索して判断する依頼先判断手段と、
前記依頼先判断手段が、前記問い合わせユーザを前記依頼先のユーザであると判断した場合に、前記問い合わせユーザに参加依頼がある旨の通知を行う通知手段と、
前記通知手段により参加依頼がある旨の通知を受けた前記問い合わせユーザが送信した前記プロジェクトへの参加の有無に関する参加有無情報を前記参加依頼情報記憶手段に登録する参加有無情報登録手段と、
を備えることを特徴とする請求項１に記載のプロジェクト管理サーバ。
【請求項４】
プロジェクトの識別情報と、当該プロジェクトの識別情報によって識別されるプロジェクトのオーナーユーザの承認により前記プロジェクトに参加するメンバーユーザの識別情報と、前記オーナーユーザによって前記メンバーユーザに付与され、前記メンバーユーザが依頼元のユーザとなって依頼先のユーザを前記プロジェクトに参加させる際の追加権限に関するメンバー追加権限情報とを対応付けて記憶するプロジェクトメンバー情報記憶手段を有するサーバを用いてプロジェクトを管理するにあたり、
前記サーバが、前記プロジェクトメンバー情報記憶手段に記憶されたメンバー追加権限情報に基づいて、前記依頼元のユーザによる新たなメンバーユーザの追加を制限するメンバー追加制限ステップを備えることを特徴とするプロジェクト管理方法。
【請求項５】
プロジェクトの識別情報と、当該プロジェクトの識別情報によって識別されるプロジェクトのオーナーユーザの承認により前記プロジェクトに参加するメンバーユーザの識別情報と、前記オーナーユーザによって前記メンバーユーザに付与され、前記メンバーユーザが依頼元のユーザとなって依頼先のユーザを前記プロジェクトに参加させる際の追加権限に関するメンバー追加権限情報とを対応付けて記憶するプロジェクトメンバー情報記憶手段を備えるコンピュータを、
前記プロジェクトメンバー情報記憶手段に記憶されたメンバー追加権限情報に基づいて、前記依頼元のユーザによる新たなメンバーユーザの追加を制限するメンバー追加制限手段、
として機能させるためのプログラム。
【請求項６】
プロジェクトの識別情報と、当該プロジェクトの識別情報によって識別されるプロジェクトのオーナーユーザの承認により前記プロジェクトに参加するメンバーユーザの識別情報と、前記オーナーユーザによって前記メンバーユーザに付与され、前記メンバーユーザが依頼元のユーザとなって依頼先のユーザを前記プロジェクトに参加させる際の追加権限に関するメンバー追加権限情報とを対応付けて記憶するプロジェクトメンバー情報記憶手段と、
前記プロジェクトへの参加依頼に関する参加依頼情報を記憶する参加依頼情報記憶手段と、を備え、
前記メンバー追加権限情報が、前記依頼元のユーザが新たなメンバーユーザを追加できるか否かの追加可否情報を有するコンピュータを、
前記追加可否情報を前記プロジェクトメンバー情報記憶手段から取得する追加可否情報取得手段、
前記追加可否情報取得手段により取得した追加可否情報に基づいて、前記依頼元のユーザが新たなメンバーユーザを追加できる権限を有すると判断した場合に、前記参加依頼情報を前記参加依頼情報記憶手段に登録する登録手段、
プロジェクトへの参加依頼の問い合わせを行った問い合わせユーザが、前記依頼先のユーザであるか否かを前記参加依頼情報記憶手段を検索して判断する依頼先判断手段、
前記依頼先判断手段により前記問い合わせユーザが前記依頼先のユーザであると判断された場合に、前記問い合わせユーザに参加依頼がある旨の通知を行う通知手段、
前記通知手段により参加依頼がある旨の通知を受けた前記問い合わせユーザが送信した前記プロジェクトへの参加の有無に関する参加有無情報を前記参加依頼情報記憶手段に登録する参加有無情報登録手段、
として機能させるためのプログラム。
【請求項７】
プロジェクトの識別情報と、当該プロジェクトの識別情報によって識別されるプロジェクトのオーナーユーザの承認により前記プロジェクトに参加するメンバーユーザの識別情報と、前記オーナーユーザによって前記メンバーユーザに付与され、前記メンバーユーザが依頼元のユーザとなって依頼先のユーザを前記プロジェクトに参加させる際の追加権限に関するメンバー追加権限情報とを対応付けて記憶するプロジェクトメンバー情報記憶手段と、
前記プロジェクトへの参加依頼に関する参加依頼情報を記憶する参加依頼情報記憶手段と、を備え、
前記メンバー追加権限情報が、前記依頼元のユーザが新たなメンバーユーザを追加できるか否かの追加可否情報を有するコンピュータを、
前記追加可否情報を前記プロジェクトメンバー情報記憶手段から取得する追加可否情報取得手段、
前記追加可否情報取得手段により取得した追加可否情報に基づいて、前記依頼元のユーザが新たなメンバーユーザを追加できる権限を有しないと判断した場合に、前記依頼元のユーザに新たなメンバーユーザを追加できる権限がない旨の通知を行う無権限通知手段、
として機能させるためのプログラム。
【請求項８】
プロジェクトの識別情報と、当該プロジェクトの識別情報によって識別されるプロジェクトのオーナーユーザの承認により前記プロジェクトに参加するメンバーユーザの識別情報と、前記オーナーユーザによって前記メンバーユーザに付与され、前記メンバーユーザが依頼元のユーザとなって依頼先のユーザを前記プロジェクトに参加させる際の追加権限に関するメンバー追加権限情報とを対応付けて記憶するプロジェクトメンバー情報記憶手段と、
前記プロジェクトへの参加依頼に関する参加依頼情報を記憶する参加依頼情報記憶手段と、を備え、
前記メンバー追加権限情報が、前記依頼元のユーザが新たなメンバーユーザを追加する際に前記オーナーユーザの承認が必要か否かの承認要否情報を有するコンピュータを、
前記承認要否情報を前記プロジェクトメンバー情報記憶手段から取得する承認要否情報取得手段、
前記承認要否情報取得手段により取得した承認要否情報に基づいて、前記依頼元のユーザが新たなメンバーユーザを追加する際に前記オーナーユーザの承認が必要であると判断した場合に、前記参加依頼情報を前記参加依頼情報記憶手段に仮登録する仮登録手段、
前記オーナーユーザによる前記参加依頼情報の登録の承認に基づいて、前記仮登録手段により仮登録された前記参加依頼情報を前記参加依頼情報記憶手段に本登録する本登録手段、
プロジェクトへの参加依頼の問い合わせを行った問い合わせユーザが、前記依頼先のユーザであるか否かを、前記参加依頼情報記憶手段内に本登録された参加依頼情報を検索して判断する依頼先判断手段、
前記依頼先判断手段により前記問い合わせユーザが前記依頼先のユーザであると判断された場合に、前記問い合わせユーザに参加依頼がある旨の通知を行う通知手段、
前記通知手段により参加依頼がある旨の通知を受けた前記問い合わせユーザが送信した前記プロジェクトへの参加の有無に関する参加有無情報を前記参加依頼情報記憶手段に登録する参加有無情報登録手段、
として機能させるためのプログラム。
【請求項９】
プロジェクトの識別情報と、当該プロジェクトの識別情報によって識別されるプロジェクトのオーナーユーザの承認により前記プロジェクトに参加するメンバーユーザの識別情報と、前記オーナーユーザによって前記メンバーユーザに付与され、前記メンバーユーザが依頼元のユーザとなって依頼先のユーザを前記プロジェクトに参加させる際の追加権限に関するメンバー追加権限情報とを対応付けて記憶するプロジェクトメンバー情報記憶手段と、
前記プロジェクトメンバー情報記憶手段に記憶されたメンバー追加権限情報に基づいて、前記依頼元のユーザによる新たなメンバーユーザの追加を制限するメンバー追加制限手段と、
を備えるプロジェクト管理サーバを有することを特徴とするプロジェクト管理サーバシステム。
【手続補正２】
【補正対象書類名】明細書
【補正対象項目名】発明の名称
【補正方法】変更
【補正の内容】
【発明の名称】プロジェクト管理サーバ、プロジェクト管理方法、プログラム及びプロジェクト管理サーバシステム
【手続補正３】
【補正対象書類名】明細書
【補正対象項目名】０００１
【補正方法】変更
【補正の内容】
【０００１】
本発明は、プロジェクト管理サーバ、プロジェクト管理方法、プログラム及びプロジェクト管理サーバシステムに関する。
【手続補正４】
【補正対象書類名】明細書
【補正対象項目名】０００４
【補正方法】変更
【補正の内容】
【０００４】
そこで、本発明の課題は、セキュリティを低下させることなく、オーナーユーザの承認にかかる手間を低減することができるプロジェクト管理サーバ、プロジェクト管理方法、プログラム及びプロジェクト管理サーバシステムを提供することである。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】変更
【補正の内容】
【０００８】
請求項３に記載の発明は、請求項１に記載のプロジェクト管理サーバにおいて、前記プロジェクトへの参加依頼に関する参加依頼情報を記憶する参加依頼情報記憶手段を備え、前記メンバー追加権限情報は、前記依頼元のユーザが新たなメンバーユーザを追加する際に前記オーナーユーザの承認が必要か否かの承認要否情報を有し、前記メンバー追加制限手段は、前記承認要否情報を前記プロジェクトメンバー情報記憶手段から取得する承認要否情報取得手段と、前記承認要否情報取得手段により取得した承認要否情報に基づいて、前記依頼元のユーザが新たなメンバーユーザを追加する際に前記オーナーユーザの承認が必要であると判断した場合に、前記参加依頼情報を前記参加依頼情報記憶手段に仮登録する仮登録手段と、前記オーナーユーザによる前記参加依頼情報の登録の承認に基づいて、前記仮登録手段により仮登録された前記参加依頼情報を前記参加依頼情報記憶手段に本登録する本登録手段と、プロジェクトへの参加依頼の問い合わせを行った問い合わせユーザが、前記依頼先のユーザであるか否かを、前記参加依頼情報記憶手段内に本登録された参加依頼情報を検索して判断する依頼先判断手段と、前記依頼先判断手段が、前記問い合わせユーザを前記依頼先のユーザであると判断した場合に、前記問い合わせユーザに参加依頼がある旨の通知を行う通知手段と、前記通知手段により参加依頼がある旨の通知を受けた前記問い合わせユーザが送信した前記プロジェクトへの参加の有無に関する参加有無情報を前記参加依頼情報記憶手段に登録する参加有無情報登録手段と、を備えることを特徴とする。
ここで、参加依頼情報の仮登録とは、参加依頼情報を参加依頼情報記憶手段に一時的に記憶させることをいい、本登録とは、参加依頼情報記憶手段に一時的に記憶させた参加依頼情報を参加依頼情報記憶手段に記憶させることをいう。
【手続補正７】
【補正対象書類名】明細書
【補正対象項目名】０００９
【補正方法】変更
【補正の内容】
【０００９】
請求項４に記載の発明は、プロジェクトの管理方法であって、プロジェクトの識別情報と、当該プロジェクトの識別情報によって識別されるプロジェクトのオーナーユーザの承認により前記プロジェクトに参加するメンバーユーザの識別情報と、前記オーナーユーザによって前記メンバーユーザに付与され、前記メンバーユーザが依頼元のユーザとなって依頼先のユーザを前記プロジェクトに参加させる際の追加権限に関するメンバー追加権限情報とを対応付けて記憶するプロジェクトメンバー情報記憶手段を有するサーバを用いてプロジェクトを管理するにあたり、前記サーバが、前記プロジェクトメンバー情報記憶手段に記憶されたメンバー追加権限情報に基づいて、前記依頼元のユーザによる新たなメンバーユーザの追加を制限するメンバー追加制限ステップを備えることを特徴とする。
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】変更
【補正の内容】
【００１２】
請求項５に記載の発明は、プログラムであって、プロジェクトの識別情報と、当該プロジェクトの識別情報によって識別されるプロジェクトのオーナーユーザの承認により前記プロジェクトに参加するメンバーユーザの識別情報と、前記オーナーユーザによって前記メンバーユーザに付与され、前記メンバーユーザが依頼元のユーザとなって依頼先のユーザを前記プロジェクトに参加させる際の追加権限に関するメンバー追加権限情報とを対応付けて記憶するプロジェクトメンバー情報記憶手段を備えるコンピュータを、前記プロジェクトメンバー情報記憶手段に記憶されたメンバー追加権限情報に基づいて、前記依頼元のユーザによる新たなメンバーユーザの追加を制限するメンバー追加制限手段、として機能させることを特徴とする。
【手続補正１１】
【補正対象書類名】明細書
【補正対象項目名】００１３
【補正方法】変更
【補正の内容】
【００１３】
請求項６に記載の発明は、プログラムであって、プロジェクトの識別情報と、当該プロジェクトの識別情報によって識別されるプロジェクトのオーナーユーザの承認により前記プロジェクトに参加するメンバーユーザの識別情報と、前記オーナーユーザによって前記メンバーユーザに付与され、前記メンバーユーザが依頼元のユーザとなって依頼先のユーザを前記プロジェクトに参加させる際の追加権限に関するメンバー追加権限情報とを対応付けて記憶するプロジェクトメンバー情報記憶手段と、前記プロジェクトへの参加依頼に関する参加依頼情報を記憶する参加依頼情報記憶手段と、を備え、前記メンバー追加権限情報が、前記依頼元のユーザが新たなメンバーユーザを追加できるか否かの追加可否情報を有するコンピュータを、前記追加可否情報を前記プロジェクトメンバー情報記憶手段から取得する追加可否情報取得手段、前記追加可否情報取得手段により取得した追加可否情報に基づいて、前記依頼元のユーザが新たなメンバーユーザを追加できる権限を有すると判断した場合に、前記参加依頼情報を前記参加依頼情報記憶手段に登録する登録手段、プロジェクトへの参加依頼の問い合わせを行った問い合わせユーザが、前記依頼先のユーザであるか否かを前記参加依頼情報記憶手段を検索して判断する依頼先判断手段、前記依頼先判断手段により前記問い合わせユーザが前記依頼先のユーザであると判断された場合に、前記問い合わせユーザに参加依頼がある旨の通知を行う通知手段、前記通知手段により参加依頼がある旨の通知を受けた前記問い合わせユーザが送信した前記プロジェクトへの参加の有無に関する参加有無情報を前記参加依頼情報記憶手段に登録する参加有無情報登録手段、として機能させることを特徴とする。
【手続補正１２】
【補正対象書類名】明細書
【補正対象項目名】００１４
【補正方法】変更
【補正の内容】
【００１４】
請求項７に記載の発明は、プログラムであって、プロジェクトの識別情報と、当該プロジェクトの識別情報によって識別されるプロジェクトのオーナーユーザの承認により前記プロジェクトに参加するメンバーユーザの識別情報と、前記オーナーユーザによって前記メンバーユーザに付与され、前記メンバーユーザが依頼元のユーザとなって依頼先のユーザを前記プロジェクトに参加させる際の追加権限に関するメンバー追加権限情報とを対応付けて記憶するプロジェクトメンバー情報記憶手段と、前記プロジェクトへの参加依頼に関する参加依頼情報を記憶する参加依頼情報記憶手段と、を備え、前記メンバー追加権限情報が、前記依頼元のユーザが新たなメンバーユーザを追加できるか否かの追加可否情報を有するコンピュータを、前記追加可否情報を前記プロジェクトメンバー情報記憶手段から取得する追加可否情報取得手段、前記追加可否情報取得手段により取得した追加可否情報に基づいて、前記依頼元のユーザが新たなメンバーユーザを追加できる権限を有しないと判断した場合に、前記依頼元のユーザに新たなメンバーユーザを追加できる権限がない旨の通知を行う無権限通知手段、として機能させることを特徴とする。
【手続補正１３】
【補正対象書類名】明細書
【補正対象項目名】００１５
【補正方法】変更
【補正の内容】
【００１５】
請求項８に記載の発明は、プログラムであって、プロジェクトの識別情報と、当該プロジェクトの識別情報によって識別されるプロジェクトのオーナーユーザの承認により前記プロジェクトに参加するメンバーユーザの識別情報と、前記オーナーユーザによって前記メンバーユーザに付与され、前記メンバーユーザが依頼元のユーザとなって依頼先のユーザを前記プロジェクトに参加させる際の追加権限に関するメンバー追加権限情報とを対応付けて記憶するプロジェクトメンバー情報記憶手段と、前記プロジェクトへの参加依頼に関する参加依頼情報を記憶する参加依頼情報記憶手段と、を備え、前記メンバー追加権限情報が、前記依頼元のユーザが新たなメンバーユーザを追加する際に前記オーナーユーザの承認が必要か否かの承認要否情報を有するコンピュータを、前記承認要否情報を前記プロジェクトメンバー情報記憶手段から取得する承認要否情報取得手段、前記承認要否情報取得手段により取得した承認要否情報に基づいて、前記依頼元のユーザが新たなメンバーユーザを追加する際に前記オーナーユーザの承認が必要であると判断した場合に、前記参加依頼情報を前記参加依頼情報記憶手段に仮登録する仮登録手段、前記オーナーユーザによる前記参加依頼情報の登録の承認に基づいて、前記仮登録手段により仮登録された前記参加依頼情報を前記参加依頼情報記憶手段に本登録する本登録手段、プロジェクトへの参加依頼の問い合わせを行った問い合わせユーザが、前記依頼先のユーザであるか否かを、前記参加依頼情報記憶手段内に本登録された参加依頼情報を検索して判断する依頼先判断手段、前記依頼先判断手段により前記問い合わせユーザが前記依頼先のユーザであると判断された場合に、前記問い合わせユーザに参加依頼がある旨の通知を行う通知手段、前記通知手段により参加依頼がある旨の通知を受けた前記問い合わせユーザが送信した前記プロジェクトへの参加の有無に関する参加有無情報を前記参加依頼情報記憶手段に登録する参加有無情報登録手段、として機能させることを特徴とする。
【手続補正１４】
【補正対象書類名】明細書
【補正対象項目名】００１６
【補正方法】変更
【補正の内容】
【００１６】
請求項９に記載の発明は、プロジェクト管理サーバシステムであって、プロジェクトの識別情報と、当該プロジェクトの識別情報によって識別されるプロジェクトのオーナーユーザの承認により前記プロジェクトに参加するメンバーユーザの識別情報と、前記オーナーユーザによって前記メンバーユーザに付与され、前記メンバーユーザが依頼元のユーザとなって依頼先のユーザを前記プロジェクトに参加させる際の追加権限に関するメンバー追加権限情報とを対応付けて記憶するプロジェクトメンバー情報記憶手段と、前記プロジェクトメンバー情報記憶手段に記憶されたメンバー追加権限情報に基づいて、前記依頼元のユーザによる新たなメンバーユーザの追加を制限するメンバー追加制限手段と、を備えるプロジェクト管理サーバを有することを特徴とする。
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】変更
【補正の内容】
【００２０】
請求項３に記載の発明によれば、承認要否情報取得手段は、承認要否情報をプロジェクトメンバー情報記憶手段から取得する。
そして、仮登録手段は、承認要否情報取得手段により取得した承認要否情報に基づいて、依頼元のユーザが新たなメンバーユーザを追加する際にオーナーユーザの承認が必要であると判断した場合に、参加依頼情報を参加依頼情報記憶手段に仮登録する。
そして、本登録手段は、オーナーユーザによる参加依頼情報の登録の承認に基づいて、仮登録手段により仮登録された参加依頼情報を参加依頼情報記憶手段に本登録する。
そして、依頼先判断手段は、プロジェクトへの参加依頼の問い合わせを行った問い合わせユーザが、プロジェクトへの参加を依頼されている依頼先のユーザであるか否かを、参加依頼情報記憶手段内に本登録された参加依頼情報を検索して判断する。
そして、通知手段は、依頼先判断手段により、問い合わせユーザがプロジェクトへの参加を依頼されている依頼先のユーザであると判断された場合に、問い合わせユーザに参加依頼がある旨の通知を行う。
そして、参加有無情報登録手段は、通知手段により参加依頼がある旨の通知を受けた問い合わせユーザが送信したプロジェクトへの参加の有無に関する参加有無情報を参加依頼情報記憶手段に登録する。
これにより、参加依頼情報はオーナーユーザの承認を得た後にしか参加依頼情報記憶手段に本登録されないので、依頼元のユーザは、自らの意思で自由にメンバーユーザの追加を行うことができなくなる。従って、オーナーユーザは、依頼元のユーザからの承認の依頼に対して承認するだけでよいので、新たに参加する全てのメンバーユーザに対して常にその動向を監視する必要がなくなる。従って、オーナーユーザは、自らの意思に基づいて承認を行いながらも、承認にかかる手間を低減することができる。また、依頼元のユーザが勝手にメンバーユーザを増やしてしまうことが無くなるので、プロジェクトのセキュリティの低下を防止することができる。
【手続補正１７】
【補正対象書類名】明細書
【補正対象項目名】００２１
【補正方法】変更
【補正の内容】
【００２１】
請求項４に記載の発明によれば、メンバー追加制限ステップでは、メンバーユーザが依頼元のユーザとなって依頼先のユーザをプロジェクトに参加させる際の追加権限に関する情報であって、プロジェクトメンバー情報記憶手段に記憶されたメンバー追加権限情報に基づいて、依頼元のユーザによる新たなメンバーユーザの追加を制限する。
これにより、依頼元のユーザは、自らの意思で自由に新たなメンバーユーザの追加を行うことができなくなる。また、メンバー追加権限情報は、オーナーユーザによって付与されるものであるため、オーナーユーザが直接的に新たなメンバーユーザの参加承認を行わなくても、オーナーユーザの意思が必ず反映されるようになる。従って、オーナーユーザは、新たに参加する全てのメンバーユーザに対して自らの意思に基づいて承認を行うこととなり、依頼元のユーザが勝手にメンバーユーザを増やしてしまうことが無くなるので、プロジェクトのセキュリティの低下を防止することができ、承認にかかる手間を低減することができる。
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】変更
【補正の内容】
【００２４】
請求項５に記載の発明によれば、コンピュータをメンバー追加制限手段として機能させることにより、メンバーユーザが依頼元のユーザとなって依頼先のユーザをプロジェクトに参加させる際の追加権限に関する情報であって、プロジェクトメンバー情報記憶手段に記憶されたメンバー追加権限情報に基づいて、依頼元のユーザによる新たなメンバーユーザの追加を制限する。
これにより、依頼元のユーザは、自らの意思で自由に新たなメンバーユーザの追加を行うことができなくなる。また、メンバー追加権限情報は、オーナーユーザによって付与されるものであるため、オーナーユーザが直接的に新たなメンバーユーザの参加承認を行わなくても、オーナーユーザの意思が必ず反映されるようになる。従って、オーナーユーザは、新たに参加する全てのメンバーユーザに対して自らの意思に基づいて承認を行うこととなり、依頼元のユーザが勝手にメンバーユーザを増やしてしまうことが無くなるので、プロジェクトのセキュリティの低下を防止することができ、承認にかかる手間を低減することができる。
【手続補正２１】
【補正対象書類名】明細書
【補正対象項目名】００２５
【補正方法】変更
【補正の内容】
【００２５】
請求項６に記載の発明によれば、コンピュータを追加可否情報取得手段として機能させることにより、追加可否情報をプロジェクトメンバー情報記憶手段から取得する。
そして、コンピュータを登録手段として機能させることにより、追加可否情報取得手段により取得した追加可否情報に基づいて、依頼元のユーザが新たなメンバーユーザを追加できる権限を有すると判断した場合に、参加依頼情報を参加依頼情報記憶手段に登録する。
また、コンピュータを依頼先判断手段として機能させることにより、プロジェクトへの参加依頼の問い合わせを行った問い合わせユーザが、プロジェクトへの参加を依頼されている依頼先のユーザであるか否かを、参加依頼情報記憶手段を検索して判断する。
そして、コンピュータを通知手段として機能させることにより、依頼先判断手段により、問い合わせユーザがプロジェクトへの参加を依頼されている依頼先のユーザであると判断された場合に、問い合わせユーザに参加依頼がある旨の通知を行う。
そして、コンピュータを参加有無情報登録手段として機能させることにより、通知手段により参加依頼がある旨の通知を受けた問い合わせユーザが送信したプロジェクトへの参加の有無に関する参加有無情報を参加依頼情報記憶手段に登録する。
これにより、依頼元のユーザが新たなメンバーユーザの追加をできる権限がある場合にのみ、参加依頼情報は参加依頼情報記憶手段に登録されるので、依頼元のユーザは、自らの意思で自由に参加依頼をすることができなくなる。また、追加可否情報はオーナーユーザによって付与されるものであるため、オーナーユーザが直接的に新たなメンバーユーザの参加承認を行わなくても、オーナーユーザの意思が必ず反映されるようになる。従って、依頼元のユーザによる参加依頼はオーナーユーザの意思によってその可否が決定されるため、オーナーユーザは、新たに参加する全てのメンバーユーザに対して自らの意思に基づいて承認を行うこととなり、依頼元のユーザが勝手にメンバーユーザを増やしてしまうことが無くなるので、プロジェクトのセキュリティの低下を防止することができ、承認にかかる手間を低減することができる。
【手続補正２２】
【補正対象書類名】明細書
【補正対象項目名】００２６
【補正方法】変更
【補正の内容】
【００２６】
請求項７に記載の発明によれば、コンピュータを無権限通知手段として機能させることにより、追加可否情報取得手段により取得した追加可否情報に基づいて、依頼元のユーザが新たなメンバーユーザを追加できる権限を有していないと判断した場合に、依頼元のユーザにメンバー追加できる権限がない旨の通知を行う。
これにより、依頼元のユーザが新たなメンバーの追加をできる権限がない場合には、参加依頼情報は参加依頼情報記憶手段に登録されず、その旨が依頼元のユーザに通知されるので、依頼元のユーザは、新たなメンバーユーザの追加をできる権限を有しているか否かを容易に確認できる。
【手続補正２３】
【補正対象書類名】明細書
【補正対象項目名】００２７
【補正方法】変更
【補正の内容】
【００２７】
請求項８に記載の発明によれば、コンピュータを承認要否情報取得手段として機能させることにより、承認要否情報をプロジェクトメンバー情報記憶手段から取得する。
そして、コンピュータを仮登録手段として機能させることにより、承認要否情報取得手段により取得した承認要否情報に基づいて、依頼元のユーザが新たなメンバーユーザを追加する際にオーナーユーザの承認が必要であると判断した場合に、参加依頼情報を参加依頼情報記憶手段に仮登録する。
そして、コンピュータを本登録手段として機能させることにより、オーナーユーザによる参加依頼情報の登録の承認に基づいて、仮登録手段により仮登録された参加依頼情報を参加依頼情報記憶手段に本登録する。
そして、コンピュータを依頼先判断手段として機能させることにより、プロジェクトへの参加依頼の問い合わせを行った問い合わせユーザが、プロジェクトへの参加を依頼されている依頼先のユーザであるか否かを、参加依頼情報記憶手段内に本登録された参加依頼情報を検索して判断する。
そして、コンピュータを通知手段として機能させることにより、依頼先判断手段により、問い合わせユーザがプロジェクトへの参加を依頼されている依頼先のユーザであると判断された場合に、問い合わせユーザに参加依頼がある旨の通知を行う。
そして、コンピュータを参加有無情報登録手段として機能させることにより、通知手段により参加依頼がある旨の通知を受けた問い合わせユーザが送信したプロジェクトへの参加の有無に関する参加有無情報を参加依頼情報記憶手段に登録する。
これにより、参加依頼情報はオーナーユーザの承認を得た後にしか参加依頼情報記憶手段に本登録されないので、依頼元のユーザは、自らの意思で自由にメンバーユーザの追加を行うことができなくなる。従って、オーナーユーザは、依頼元のユーザからの承認の依頼に対して承認するだけでよいので、新たに参加する全てのメンバーユーザに対して常にその動向を監視する必要がなくなる。従って、オーナーユーザは、自らの意思に基づいて承認を行いながらも、承認にかかる手間を低減することができる。また、依頼元のユーザが勝手にメンバーユーザを増やしてしまうことが無くなるので、プロジェクトのセキュリティの低下を防止することができる。
【手続補正２４】
【補正対象書類名】明細書
【補正対象項目名】００２８
【補正方法】変更
【補正の内容】
【００２８】
請求項９に記載の発明によれば、メンバー追加制限手段は、メンバーユーザが依頼元のユーザとなって依頼先のユーザをプロジェクトに参加させる際の追加権限に関する情報であって、プロジェクトメンバー情報記憶手段に記憶されたメンバー追加権限情報に基づいて、依頼元のユーザによる新たなメンバーユーザの追加を制限する。
これにより、依頼元のユーザは、自らの意思で自由に新たなメンバーユーザの追加を行うことができなくなる。また、メンバー追加権限情報は、オーナーユーザによって付与されるものであるため、オーナーユーザが直接的に新たなメンバーユーザの参加承認を行わなくても、オーナーユーザの意思が必ず反映されるようになる。従って、オーナーユーザは、新たに参加する全てのメンバーユーザに対して自らの意思に基づいて承認を行うこととなり、依頼元のユーザが勝手にメンバーユーザを増やしてしまうことが無くなるので、プロジェクトのセキュリティの低下を防止することができ、承認にかかる手間を低減することができる。